(57)【要約】      （修正有）【課題】サーバとクライアントとを有する情報システムにおいては、送信されるデータ及び送信先のクライントを選択するための操作を容易に行えるようにする。【解決手段】送信データを示す第１アイコン６１、６２、６３を第１位置に表示し、送信先を示す第２アイコン７１、７２、７３を第２位置に表示するタッチパネル６０と、前記タッチパネル上におけるタッチ操作の接触位置を検出する検出装置と、前記接触位置が前記第１位置から前記第２位置まで連続的に移動していることを前記検出装置が検出すると、ネットワークを介して前記送信データを前記送信先に送信させるための制御を行う制御装置と、を備える。【選択図】図２
2014199572.tif 000002
【特許請求の範囲】
【請求項１】
送信データを示す第１アイコンを第１位置に表示し、送信先を示す第２アイコンを第２位置に表示するタッチパネルと、
前記タッチパネル上におけるタッチ操作の接触位置を検出する検出装置と、
前記接触位置が前記第１位置から前記第２位置まで連続的に移動していることを前記検出装置が検出すると、ネットワークを介して前記送信データを前記送信先に送信させるための制御を行う制御装置と、
を備えたことを特徴とするデータ通信装置。
【請求項２】
前記第１アイコンは、複数の異なる送信データを示す複数のアイコンであり、
前記第１位置は、前記第１アイコンが夫々表示される複数の位置であり、
前記第２アイコンは、複数の異なる送信先を示す複数のアイコンであり、
前記第２位置は、前記第２アイコンが夫々表示される複数の位置であり、
前記制御装置は、前記接触位置が前記第１位置の何れか一の位置から前記第２位置の何れか一の位置まで連続的に移動していることを前記検出装置が検出すると、前記ネットワークを介して前記第１位置の何れか一の位置に表示されている送信データを前記第２位置の何れか一の位置に表示されている送信先に送信させるための制御を行う
ことを特徴とする請求項１に記載のデータ通信装置。
【請求項３】
送信データを示す第１アイコンを第１位置に表示し、送信先を示す第２アイコンを第２位置に表示するタッチパネルと、
前記タッチパネル上におけるタッチ操作の接触位置を検出する検出装置と、
前記送信データがネットワークを介して前記送信先に送信されているとき、前記接触位置が前記第１位置と前記第２位置との間にあることを前記検出装置が検出すると、前記送信先への前記送信データの送信を中止させるための制御を行う制御装置と、
を備えたことを特徴とするデータ通信装置。
【請求項４】
前記タッチパネルは、前記送信データが前記ネットワークを介して前記送信先に送信されているとき、前記第１位置と前記第２位置との間に、前記第１位置から前記第２位置へ向かうことを示す線分を表示し、
前記制御装置は、前記接触位置が前記線分を横切って移動していることを検出装置が検出すると、前記送信先への前記送信データの送信を中止させるための制御を行う
ことを特徴とする請求項３に記載のデータ通信装置。
【請求項５】
コンピュータに、
送信データを示す第１アイコンを第１位置に表示するとともに送信先を示す第２アイコンを第２位置に表示するタッチパネル上におけるタッチ操作の接触位置を検出する機能と、
前記接触位置が前記第１位置から前記第２位置まで連続的に移動していることが検出されると、ネットワークを介して前記送信データを前記送信先に送信させるための制御を行う機能と、
を実現させるプログラム。
【請求項６】
コンピュータに、
送信データを示す第１アイコンを第１位置に表示するとともに送信先を示す第２アイコンを第２位置に表示するタッチパネル上におけるタッチ操作の接触位置を検出する機能と、
前記送信データがネットワークを介して前記送信先に送信されているとき、前記接触位置が前記第１位置と前記第２位置との間にあることが検出されると、前記送信先への前記送信データの送信を中止させるための制御を行う機能と、
を実現させるプログラム。
【発明の詳細な説明】
【技術分野】
【０００１】
本発明は、データ通信装置、プログラムに関する。
【背景技術】
【０００２】
例えば、データが記憶されているサーバと、ネットワークを介して当該サーバと接続されているクライアントとを有する情報システムが知られている（例えば特許文献１）。
【先行技術文献】
【特許文献】
【０００３】
【特許文献１】特開２０１０−１１９５１２号公報
【発明の概要】
【発明が解決しようとする課題】
【０００４】
サーバとクライアントとを有する情報システムにおいては、特許文献１の情報システムも含め、例えば、サーバからクライアントに対してデータが送信されることがある。この場合、送信されるデータの候補及び送信先のクライントの候補から、送信されるデータ及び送信先のクライントを、例えばキーボード又はマウス等の操作により選択する必要がある。送信されるデータの候補及び送信先のクライントの候補が複数ある場合、送信されるデータ及び送信先のクライントを選択するための操作が煩雑となり、データの送信に手間を要する虞がある。
【課題を解決するための手段】
【０００５】
前述した課題を解決する主たる本発明は、送信データを示す第１アイコンを第１位置に表示し、送信先を示す第２アイコンを第２位置に表示するタッチパネルと、前記タッチパネル上におけるタッチ操作の接触位置を検出する検出装置と、前記接触位置が前記第１位置から前記第２位置まで連続的に移動していることを前記検出装置が検出すると、ネットワークを介して前記送信データを前記送信先に送信させるための制御を行う制御装置と、を備えたことを特徴とするデータ通信装置である。
【０００６】
本発明の他の特徴については、添付図面及び本明細書の記載により明らかとなる。
【発明の効果】
【０００７】
本発明によれば、データの送信を容易に行うことが可能なデータ通信装置を提供することができる。
【図面の簡単な説明】
【０００８】
【図１】本発明の実施形態に係る医療情報システムを示す図である。
【図２】本発明の実施形態に係るタッチパネルを示す図である。
【図３】本発明の実施形態に係る線分が表示されている状態のタッチパネルを示す図である。
【図４】本発明の実施形態に係る第１確認画面が表示されている状態のタッチパネルを示す図である。
【図５】本発明の実施形態に係る第２確認画面が表示されている状態のタッチパネルを示す図である。
【図６】本発明の実施形態に係るデータを送信する際の第１端末装置の動作を示すフローチャートである。
【図７】本発明の実施形態に係るデータの送信を中止する際の第１端末装置の動作を示すフローチャートである。
【発明を実施するための形態】
【０００９】
本明細書および添付図面の記載により、少なくとも以下の事項が明らかとなる。
【００１０】
＝＝＝医療情報システム＝＝＝
以下、図１を参照して、本実施形態における医療情報システムについて説明する。図１は、本実施形態に係る医療情報システムを示す図である。
【００１１】
医療情報システム１００は、医療情報（電子カルテ、診療報酬点等の情報）の記憶、更新、表示等の各種処理を行うシステムである。医療情報システム１００は、第１端末装置１０（データ通信装置）、第２端末装置２０、第３端末装置３０、第４端末装置４０、ハブ５１及び無線ルータ５２を有する。
【００１２】
第２端末装置２０、第３端末装置３０、第４端末装置４０は、相互に通信できるように、ＬＡＮケーブル及びハブ５１を介して相互に接続されているパーソナルコンピュータである。第２端末装置２０、第３端末装置３０、第４端末装置４０は夫々、病院内の処置室、検査室、画像診断室に設けられる。尚、第２端末装置２０、第３端末装置３０、第４端末装置４０を含むネットワークは、インターネットとは独立して設けられている。
【００１３】
無線ルータ５２は、ルータ及び無線ＬＡＮのアクセスポイントの機能を有する中継局である。無線ルータ５２は、ＬＡＮケーブル及びハブ５１を介して第２端末装置２０、第３端末装置３０、第４端末装置４０を含むネットワークに接続されている。
【００１４】
第１端末装置１０は、例えばタブレット型の携帯端末装置である。第１端末装置１０は、キーボードを備えず、その代わりに入力装置が表示画面と一体となったタッチパネルを備えた薄型軽量モデルであり、医療スタッフが病院内で携行して使用するのに好適である。尚、第１端末装置１０は、例えば、診療室に設けられていることとしてもよい。第１端末装置１０は、無線ルータ５２をアクセスポイントとして、第２端末装置２０、第３端末装置３０、第４端末装置４０にアクセスする。つまり、第１端末装置１０は、第２端末装置２０、第３端末装置３０、第４端末装置４０との間においてデータの送受信が可能となっている。
【００１５】
＝＝＝第１端末装置＝＝＝
以下、図１を参照して、本実施形態における第１端末装置について説明する。
【００１６】
第１端末装置１０は、通信部１１、入力部１２、記憶部１３、表示部１４、検出部１５、制御部１６、タッチパネル６０（図２）を有する。  
通信部１１は、無線ルータ５２を介して第２端末装置２０、第３端末装置３０、第４端末装置４０との間において通信を行う。  
記憶部１３は、例えば、第１の領域１３１、第２の領域１３２を有する。  
第１の領域１３１には、例えば、第１端末装置１０を制御するための各種プログラムが記憶されている。  
第２の領域１３２には、例えば、医療情報を示す第１データ、第２データ、第３データが記憶されている。  
入力部１２、表示部１４は夫々、第１端末装置１０に対して情報を入力する機能、情報を表示する機能を奏する。入力部１２、表示部１４は、第１端末装置１０のタッチパネル６０（図２）によって一体的に実現される。  
検出部１５は、タッチパネル６０へのタッチ操作である指の接触位置を検出するタッチセンサである。  
制御部１６は、第１の領域１３１に記憶されている各種プログラムを実行することにより、検出部１５の検出結果等に基づいて、第１端末装置１０を統括制御する。
【００１７】
＝＝＝タッチパネル＝＝＝
以下、図２乃至図５を参照して、本実施形態におけるタッチパネルについて説明する。図２は、本実施形態に係るタッチパネルを示す図である。図３は、本実施形態に係る線分が表示されている状態のタッチパネルを示す図である。尚、図３においては、説明の便宜上、第１データがネットワークを介して第２端末装置２０及び第３端末装置３０に送信されている際のタッチパネルが示されている。図４は、本実施形態に係る第１確認画面が表示されている状態のタッチパネルを示す図である。図５は、本実施形態に係る第２確認画面が表示されている状態のタッチパネルを示す図である。  
タッチパネル６０には、第１送信画面（図２）、第２送信画面（図３）、第１確認画面（図４）、第２確認画面（図５）が表示される。
【００１８】
＜第１送信画面＞
第１送信画面は、送信されるデータの候補を示す複数の第１アイコン６１、６２、６３、送信先の候補を示す複数の第２アイコン７１、７２、７３が表示されている。
【００１９】
第１アイコン６１、６２、６３は、タッチパネル６０の一方の端寄りの位置に１列に並べられている。第１アイコン６１、６２、６３は夫々、記憶部１３に記憶された第１データ、第２データ、第３データを示すアイコンである。尚、第１アイコン６１が表示されている位置、第１アイコン６２が表示されている位置、第１アイコン６３が表示されている位置を夫々、第１アイコン６１の表示位置、第１アイコン６２の表示位置、第１アイコン６３の表示位置とも称することとする。
【００２０】
第２アイコン７１、７２、７３は、タッチパネル６０の第１アイコン６１、６２、６３とは反対側の他方の端寄りの位置に１列に並べられている。第２アイコン７１、７２、７３は夫々、第２端末装置２０、第３端末装置３０、第４端末装置４０を示すアイコンである。尚、第２アイコン７１が表示されている位置、第２アイコン７２が表示されている位置、第２アイコン７３が表示されている位置を夫々、第２アイコン７１の表示位置、第２アイコン７２の表示位置、第２アイコン７３の表示位置とも称することとする。
【００２１】
＜第２送信画面（図３）＞
第２送信画面は、第１送信画面において表示されている情報に加えて、データが送信されていることを示す線分８１、８２が表示されている。
【００２２】
線分８１は、第１アイコン６１から第２アイコン７１に向かう線分である。線分８１は、第１データがネットワークを介して第２端末装置２０に送信されていることを示している。尚、例えば、データが送信中であることを示すために、線分８１を点滅する矢印としてもよい。又、例えば、線分８１を所定長さ毎に分割して、分割されている線分８１を、第１アイコン６１から第２アイコン７１に向かって順次表示させてもよい。尚、線分８１が表示されている位置を、線分８１の表示位置とも称することとする。
【００２３】
線分８２は、第１アイコン６１から第２アイコン７２に向かう線分である。線分８２は、第１データがネットワークを介して第３端末装置３０に送信されていることを示している。線分８２の構成は、線分８１の構成と同様であることとする。尚、線分８２が表示されている位置を、線分８２の表示位置とも称することとする。
【００２４】
＜第１確認画面（図４）＞
第１確認画面は、データの送信を開始するか否かを確認するための画面である。第１確認画面には、データの送信を開始するか否かを確認するためのメッセージ６４が表示される。第１確認画面には、更に第１ソフトキー６４Ａ、第２ソフトキー６４Ｂが表示される。
【００２５】
第１ソフトキー６４Ａは、データの送信を開始させるためのソフトキーである。第１ソフトキー６４Ａは、タッチパネル６０の下側寄りの位置に設けられる。尚、第１ソフトキー６４Ａが表示されている位置を、第１ソフトキー６４Ａの表示位置とも称することとする。
【００２６】
第２ソフトキー６４Ｂは、データの送信を開始させないためのソフトキーである。第２ソフトキー６４Ｂは、タッチパネル６０の下側寄りの第１ソフトキー６４Ａから離れた位置に設けられる。尚、第２ソフトキー６４Ｂが表示されている位置を、第２ソフトキー６４Ｂの表示位置とも称することとする。
【００２７】
＜第２確認画面（図５）＞
第２確認画面は、データの送信を中止するか否かを確認するための画面である。第２確認画面には、データの送信を中止するか否かを確認するためのメッセージ６５が表示される。第２確認画面には、更に第１ソフトキー６５Ａ、第２ソフトキー６５Ｂが表示される。
【００２８】
第１ソフトキー６５Ａは、データの送信を中止させるためのソフトキーである。第１ソフトキー６５Ａは、タッチパネル６０の下側寄りの位置に設けられる。尚、第１ソフトキー６５Ａが表示されている位置を、第１ソフトキー６５Ａの表示位置とも称することとする。
【００２９】
第２ソフトキー６５Ｂは、データの送信を中止させないためのソフトキーである。即ち、データ送信の継続を指示するためのものである。第２ソフトキー６５Ｂは、タッチパネル６０の下側寄りの第１ソフトキー６５Ａから離れた位置に設けられる。尚、第１ソフトキー６５Ｂが表示されている位置を、第１ソフトキー６５Ｂの表示位置とも称することとする。
【００３０】
＝＝＝検出部＝＝＝
以下、図２乃至図５を参照して、本実施形態における検出部について説明する。  
検出部１５は、データを送信するための指の接触位置、データの送信を中止するための指の接触位置、第１及び第２確認画面における指の接触位置を検出する。
【００３１】
＜データを送信するための指の接触位置＞
検出部１５は、指の接触位置が、第１アイコン６１、６２、６３の表示位置の何れか一の位置から第２アイコン７１、７２、７３の表示位置の何れか一の位置まで、接触状態を保ったまま連続的に移動したこと（「送信操作」とも称する）を検出する。例えば、検出部１５は、図２における点線矢印９１で示されるように、指の接触位置が第１アイコン６１の表示位置から第２アイコン７１の表示位置まで連続的に移動したことを検出する。
【００３２】
＜データの送信を中止するための指の接触位置＞
検出部１５は、データの送信が行われている際に、図３における点線矢印９２で示されるように、指の接触位置が、線分８１、８２を横切って移動したこと、即ち、表示されている線分を挟んで一方の側から他方の側へ接触状態を保ったまま連続的に移動したこと（「中止操作」とも称する）を検出する。
【００３３】
＜第１確認画面における指の接触位置＞
検出部１５は、指の接触位置が第１ソフトキー６４Ａの表示位置となっているのを検出する。又、検出部１５は、指の接触位置が第２ソフトキー６４Ｂの表示位置となっているのを検出する。
【００３４】
＜第２確認画面における指の接触位置＞
検出部１５は、指の接触位置が第１ソフトキー６５Ａの表示位置となっているのを検出する。又、検出部１５は、指の接触位置が第２ソフトキー６５Ｂの表示位置となっているのを検出する。
【００３５】
＝＝＝第１端末装置の動作＝＝＝
以下、図６及び図７を参照して、本実施形態における第１端末装置の動作について説明する。図６は、本実施形態に係るデータを送信する際の第１端末装置の動作を示すフローチャートである。図７は、本実施形態に係るデータの送信を中止する際の第１端末装置の動作を示すフローチャートである。
【００３６】
例えば、第１データを第２端末装置２０に送信する際の第１端末装置１０の動作と、第２端末装置２０及び第３端末装置３０への第１データの送信を中止する際の第１端末装置１０の動作と、について説明する。
【００３７】
第１の領域１３１に記憶されているプログラムが実行されて、制御部１６による第１端末装置１０の統括制御が開始されたところから説明する。
【００３８】
＜データの送信＞
第１端末装置１０は、検出部１５が送信操作を検出したか否かを判断する（ステップＳ１１）。検出部１５が送信操作を検出していない場合（ステップＳ１１のＮＯ）、第１端末装置１０は、ステップＳ１１の判断を再度行う。
【００３９】
一方、指の接触位置が図２における点線矢印９１に示されるように、第１アイコン６１の表示位置から第２アイコン７１の表示位置まで連続的に移動したとき、検出部１５は、送信操作を検出する。検出部１５が送信操作を検出した場合（ステップＳ１１のＹＥＳ）、第１端末装置１０は、第１確認画面（図４）をタッチパネル６０に表示させ（ステップＳ１２）て、データの送信を開始するか否かを判断する（ステップＳ１３）。指の接触位置が第２ソフトキー６４Ｂの表示位置となっているのを検出部１５が検出した場合（ステップＳ１３のＮＯ）、第１端末装置１０は、ステップＳ１１の判断を再度行う。
【００４０】
一方、指の接触位置が第１ソフトキー６４Ａの表示位置となっているのを検出部１５が
検出した場合（ステップＳ１３のＹＥＳ）、第１端末装置１０は、第１データを第２端末装置２０に対して送信する（ステップＳ２４）。
【００４１】
＜データの送信の中止＞
ここでは、第１データを第２端末装置２０及び第３端末装置３０へ送信している途中で、その処理を中止する際の第１端末装置１０の動作を説明する。
【００４２】
第１端末装置１０は、検出部１５が中止操作を検出したか否かを判断する（ステップＳ２１）。検出部１５が中止操作を検出していない場合（ステップＳ２１のＮＯ）、第１端末装置１０は、ステップＳ２１の判断を再度行う。
【００４３】
一方、指の接触位置が図３における点線矢印９２で示されるように、線分８１、８２を横切って移動したとき、検出部１５は、中止操作を検出する。検出部１５が中止操作を検出した場合（ステップＳ２１のＹＥＳ）、第１端末装置１０は、第２確認画面（図５）をタッチパネル６０に表示させ（ステップＳ２２）て、データの送信を中止するか否かを判断する（ステップＳ２３）。指の接触位置が第２ソフトキー６５Ｂの表示位置となっているのを検出部１５が検出した場合（ステップＳ２３のＮＯ）、第１端末装置１０は、ステップＳ２１の判断を再度行う。
【００４４】
一方、指の接触位置が第１ソフトキー６５Ａの表示位置となっているのを検出部１５が
検出した場合（ステップＳ２３のＹＥＳ）、第１端末装置１０は、第２端末装置２０及び第３端末装置３０への第１データの送信を中止する（ステップＳ２４）。
【００４５】
尚、例えば、指の接触位置が線分８１のみを横切って移動した場合、第１端末装置１０は、第２端末装置２０への第１データの送信のみを中止する。
【００４６】
前述したように、第１端末装置１０は、タッチパネル６０、検出部１５、制御部１６を有する。タッチパネル６０には、第１アイコン６１、６２、６３、第２アイコン７１、７２、７３が表示される。第１アイコン６１、６２、６３は、第１データ、第２データ、第３データを示すアイコンである。第２アイコン７１、７２、７３は、データの送信先としての第２端末装置２０、第３端末装置３０、第４端末装置４０を示すアイコンである。検出部１５は、タッチパネル６０上における指の接触位置を検出する。指の接触位置が第１アイコン６１、６２、６３の表示位置から第２アイコン７１、７２、７３の表示位置まで連続的に移動していることを検出部１５が検出すると、制御部１６は、ネットワークを介してデータを送信先に送信させるための制御を行う。従って、データの送信先への送信を容易に行うことが可能な第１端末装置１０を提供することができる。
【００４７】
又、第１アイコン６１、６２、６３は、複数の異なる第１データ、第２データ、第３データをそれぞれ示す複数のアイコンである。第１アイコン６１、６２、６３の表示位置は、第１アイコン６１、６２、６３が表示される複数の位置である。第２アイコン７１、７２、７３は、複数の異なる送信先としての第２端末装置２０、第３端末装置３０、第４端末装置４０をそれぞれ示す複数のアイコンである。第２アイコン７１、７２、７３の表示位置は、第２アイコン７１、７２、７３が夫々表示される複数の位置である。第１アイコン６１、６２、６３の表示位置の何れか一の位置から第２アイコン７１、７２、７３の表示位置の何れか一の位置まで、指の接触位置が連続的に移動していることを検出部１５が検出すると、制御部１６は、第１アイコン６１、６２、６３の何れか一の位置に表示されているデータを第２アイコン７１、７２、７３の表示位置の何れか一の位置に表示されている送信先にネットワークを介して送信させるための制御を行う。従って、送信される候補としての複数の第１乃至第３データのうちの所定のデータを、送信先の候補としての複数の端末装置のうちの所定の端末装置に送信することが可能となる。よって、使い勝手のよい第１端末装置１０を提供することができる。
【００４８】
又、例えば、第１データがネットワークを介して送信先としての第２端末装置２０に送信されているとき、指の接触位置が第１アイコン６１の表示位置と第２アイコン７１の表示位置との間にあることを検出部１５が検出すると、制御部１６は、第２端末装置２０への第１データの送信を中止させるための制御を行う。つまり、指の接触位置が線分８１の表示位置と重なっていることを検出部１５が検出すると、制御部１６は、第２端末装置２０への第１データの送信を中止させるための制御を行う。従って、データの送信を容易に中止することが可能な第１端末装置１０を提供することができる。
【００４９】
又、タッチパネル６０は、例えば第１データがネットワークを介して送信先としての第２端末装置２０及び第３端末装置３０に送信されているとき、第１アイコン６１の表示位置と第２アイコン７１の表示位置との間に、第１アイコン６１の表示位置から第２アイコン７１の表示位置へ向かうことを示す線分８１、第１アイコン６１の表示位置と第２アイコン７２の表示位置との間に、第１アイコン６１の表示位置から第２アイコン７２の表示位置へ向かうことを示す線分８２を表示する。指の接触位置が線分８１、８２を横切って移動していることを検出部１５が検出すると、制御部１６は、送信先としての第２端末装置２０及び第３端末装置３０への第１データの送信を中止させるための制御を行う。従って、複数の端末装置へのデータの送信を、線分８１、８２を横切るという単純な操作で容易に中止させることができる。よって、使い勝手のよい第１端末装置１０を提供することができる。
【００５０】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５１】
上記実施形態においては、第１アイコン６１、６２、６３の表示位置の何れか一の位置から第２アイコン７１、７２、７３の表示位置の何れか一の位置まで、指の接触位置が連続的に移動したのを送信操作として、検出部１５が検出することについて説明したが、これに限定されるものではない。例えば、指が、第１アイコン６１、６２、６３の表示位置の何れか一の位置に所定時間接触した後、第１アイコン６１、６２、６３の表示位置の何れか一の位置から第２アイコン７１、７２、７３の表示位置の何れか一の位置まで、指の接触位置が連続的に移動したのを送信操作として、検出部１５が検出することとしてもよい。
【００５２】
又、上記実施形態においては、タッチパネル６０の操作により、第１端末装置１０に記憶されているデータを、第２端末装置２０、第３端末装置３０、第４端末装置４０に送信したり、送信を中止したりすることについて説明したが、これに限定されるものではない。例えば、タッチパネル６０の操作により、第２端末装置２０、第３端末装置３０、第４端末装置４０に記憶されているデータが、当該データが記憶されている端末装置以外の端末装置に送信されることとしてもよい。
【符号の説明】
【００５３】
１０                  第１端末装置
１５                  検出部
１６                  制御部
２０                  第２端末装置
３０                  第３端末装置
４０                  第４端末装置
６０                  タッチパネル
６１、６２、６３      第１アイコン
７１、７２、７３      第２アイコン
１００                医療情報システム
【図１】
2014199572.tif 000003
【図２】
2014199572.tif 000004
【図３】
2014199572.tif 000005
【図４】
2014199572.tif 000006
【図５】
2014199572.tif 000007
【図６】
2014199572.tif 000008
【図７】
2014199572.tif 000009